(57)【要約】【課題】入力操作の操作性の向上を図ることができ、更に、別の操作ボタンを誤って入力操作するような誤入力操作を防止することができる入力操作装置及び電子機器を提供する。【解決手段】制御部１８は、操作ボタン１１の背面に設けた第１スイッチ１５からの検知信号に基づいて、操作ボタン１１に操作者の指が触れたと判定した際に、表示部に入力操作情報を表示させ、第２スイッチ１６からの検知信号に基づいて、操作者の操作によってこの操作ボタン１１が押下げられたと判定すると、表示部に表示されている入力操作情報のうちから所望の入力操作情報が選択されたと判断して、入力操作情報を確定させる。【選択図】図５
2014232911.tif 000002
【特許請求の範囲】
【請求項１】
ハードキーと、
操作者の操作部位の前記ハードキーへの触れを検知するための第１検知手段と、
前記ハードキーの押下げを検知するための第２検知手段と、
前記第１検知手段と前記第２検知手段からそれぞれ出力される検知信号を取り込み、前記ハードキーに操作者の操作部位が触れているか否かの判定、及び前記ハードキーが押下げられているか否かの判定を行う制御部と、
前記ハードキーに対応した複数の入力操作情報を表示可能な表示手段とを備え、
前記制御手段は、前記第１検知手段からの検知信号に基づいて、前記ハードキーに操作者の操作部位が触れたと判定した際に、前記表示手段に前記入力操作情報を表示させ、
更に、前記第２検知手段からの検知信号に基づいて、前記ハードキーが押下げられたと判定すると、前記表示手段に表示されている入力操作情報のうちから所望の入力操作情報が選択されたと判断して、入力操作情報を確定させることを特徴とする入力操作装置。
【請求項２】
前記制御手段は、前記第１検知手段からの検知信号に基づいて、前記ハードキーに操作者の操作部位が触れたと判定した際において、一定時間触れていると判断した場合に、前記表示手段に前記ハードキーに割り当てられている複数の前記入力操作情報を順に一定時間間隔で表示させることを特徴とする請求項１に記載の入力操作装置。
【請求項３】
前記制御手段は、前記第１検知手段からの検知信号に基づいて、前記ハードキーに操作者の操作部位が触れたと判定した際において、操作者の操作部位の前記ハードキーへの触れを検知する度に、前記表示手段に前記ハードキーに割り当てられている複数の前記入力操作情報を順に表示させることを特徴とする請求項１に記載の入力操作装置。
【請求項４】
前記第１検知手段は、前記ハードキーの背面側に配置したフィルム状の静電容量式スイッチであり、前記ハードキーに操作者の操作部位が触れたときの静電容量の変化によって、操作者の操作部位の前記ハードキーへの触れを検知することを特徴とする請求項１乃至３のいずれか一項に記載の入力操作装置。
【請求項５】
操作者によるハードキーの操作によって入力操作情報を受け付ける入力操作装置と、前記入力操作装置で受け付けた入力操作情報に基づいた処理動作が実行される電子機器において、
前記入力操作装置は、請求項１乃至４のいずれか一項に記載の入力操作装置であることを特徴とする電子機器。
【発明の詳細な説明】
【技術分野】
【０００１】
本発明は、ハードキーの操作によって入力操作情報を受け付ける入力操作装置、及び該入力操作装置を備えた電子機器（例えば、複写機、プリンタ、ファクシミリや、これらの機能を備えた複合機など）に関する。
【背景技術】
【０００２】
例えば、電子機器としての複写機、プリンタ、ファクシミリや、これらの機能を備えた複合機などの画像形成装置では、近年、多様な機能が搭載されており、このような多機能化に伴って、所定の機能を選択したり所定の動作を実行させるためのハードキーを有する入力操作装置が設置されている（例えば、特許文献１参照）。
【０００３】
特許文献１のような従来の入力操作装置が設置された画像形成装置では、入力操作装置の例えば任意のハードキーが押下げ操作されると、このハードキーに対応した入力操作情報が表示パネルに表示され、ユーザ（操作者）に入力操作情報を視認させることができる。
【発明の概要】
【発明が解決しようとする課題】
【０００４】
特許文献１のような従来の入力操作装置が設置された画像形成装置では、ユーザ（操作者）が任意のハードキーを押下げ操作して所望の入力操作情報を入力すると、その入力操作情報が表示パネルに表示される。そして、ユーザ（操作者）は、表示パネルに表示された入力操作情報から所望の入力操作情報を選択した後に、指先を移動させて別の位置にある実行キー（エンターキー）を押下げ操作することで確定され、確定された入力操作情報が画像形成装置内の制御部に入力され、所定の動作が開始される。
【０００５】
このように、従来では、任意のハードキーを押下げ操作して所望の入力操作情報を選択したした後に、その入力内容を確定（決定）するために別の位置にある実行キーを押下げ操作する必要がある。このため、入力操作情報の選択操作時と確定操作時でユーザ（操作者）は指を移動させる必要があるので、入力操作の操作性が悪く、更に、実行キー付近の別のハードキーを誤って押下げ操作するおそれもある。
【０００６】
そこで、本発明は、入力操作の操作性の向上を図ることができ、更に、別のハードキーを誤って入力操作するような誤入力操作を防止することができる入力操作装置及び電子機器を提供することを目的とする。
【課題を解決するための手段】
【０００７】
前記目的を達成するために本発明に係る入力操作装置は、ハードキーと、操作者の操作部位の前記ハードキーへの触れを検知するための第１検知手段と、前記ハードキーの押下げを検知するための第２検知手段と、前記第１検知手段と前記第２検知手段からそれぞれ出力される検知信号を取り込み、前記ハードキーに操作者の操作部位が触れているか否かの判定、及び前記ハードキーが押下げられているか否かの判定を行う制御部と、前記ハードキーに対応した複数の入力操作情報を表示可能な表示手段とを備え、前記制御手段は、前記第１検知手段からの検知信号に基づいて、前記ハードキーに操作者の操作部位が触れたと判定した際に、前記表示手段に前記入力操作情報を表示させ、更に、前記第２検知手段からの検知信号に基づいて、前記ハードキーが押下げられたと判定すると、前記表示手段に表示されている入力操作情報のうちから所望の入力操作情報が選択されたと判断して、入力操作情報を確定させることを特徴としている。
【０００８】
また、本発明に係る電子機器は、操作者によるハードキーの操作によって入力操作情報を受け付ける入力操作装置と、前記入力操作装置で受け付けた入力操作情報に基づいた処理動作が実行される電子機器において、前記入力操作装置が、請求項１乃至４のいずれか一項に記載の入力操作装置であることを特徴としている。
【発明の効果】
【０００９】
本発明に係る入力操作装置によれば、第１検知手段からの検知信号に基づいて、ハードキーに操作者の操作部位が触れたと判定した際に、表示手段に入力操作情報を表示させ、更に、第２検知手段からの検知信号に基づいて、ハードキーが押下げられたと判定すると、表示手段に表示されている入力操作情報のうちから所望の入力操作情報が選択されたと判断して、入力操作情報を確定させる。
【００１０】
よって、操作者が触れた１つのハードキーによって入力操作情報を選択して確定させることができるので、操作者の指などの操作部位を移動させる必要が殆どなく、入力操作の操作性の向上を図ることができる、更に、確定操作時に別のハードキーを誤って入力操作するような誤入力操作を防止することができる。
【図面の簡単な説明】
【００１１】
【図１】本発明の実施形態１に係る入力操作装置を備えた複合機を示す概略斜視図。
【図２】実施形態１における複合機の操作部を示す斜視図。
【図３】実施形態１における入力操作装置の複数の操作ボタンを示す図。
【図４】一部の操作ボタンを示す図。
【図５】実施形態１における入力操作装置の概略構成を示す図。
【図６】図５のＡ−Ａ線断面図。
【図７】実施形態１における入力操作装置の枠部に保持された操作ボタンを示す図。
【図８】実施形態１における入力操作装置の第１スイッチと第２スイッチを示す図。
【図９】実施形態１における入力操作装置による動作を示すフローチャート。
【図１０】（ａ）は、右上の操作ボタンに指が触れている状態を示す図、（ｂ）は、表示部の表示の一例を示す図。
【図１１】（ａ）は、操作ボタンに指が触れている状態を示す概略断面図、（ｂ）は、操作ボタンを指で押下げた状態を示す概略断面図。
【図１２】実施形態１に対する、従来例での入力操作の一例を示す図。
【図１３】実施形態２における入力操作装置による入力操作を示す図。
【図１４】実施形態２の入力操作装置に対する、従来例での入力操作の一例を示す図。
【発明を実施するための形態】
【００１２】
以下、本発明を図示の実施形態に基づいて説明する。
<実施形態１>
図１は、本発明の実施形態１に係る入力操作装置を備えた電子機器の一例としてのデジタル複合機（以下、単に「複合機」という）を示す概略斜視図である。なお、この複合機は、複写機、プリンタ、ファクシミリ、スキャナなどの機能を備えている。
【００１３】
（複合機１の構成、動作）
図１に示すように、この複合機１は、装置本体２の上部に操作部３と原稿読取部４、装置本体２の下部に記録媒体としての用紙を収納した複数の給紙カセット５、装置本体２の内部に画像形成部６などを備えている。操作部３には、後述する入力操作装置１０と、ユーザ（操作者）が該入力操作装置１０の操作ボタン１１で入力操作したとの入力操作情報や複合機１の動作状況などの各種情報が表示される表示手段としての表示部（例えば、ＬＣＤ（液晶ディスプレイ））７などが設けられている。
【００１４】
原稿読取部４は、この複合機１を例えば複写機やスキャナとして動作させるときに原稿ガラス台（不図示）に載置した原稿の画像面を２次元イメージセンサ（不図示）で走査して、画像データを読み取る。なお、この原稿読取部４は、複数の原稿を連続して原稿ガラス台上に送る自動原稿送り装置８を有している。
【００１５】
画像形成部６は、例えば電子写真方式で画像形成を行う周知の感光体ドラムと、感光体ドラムの周囲に配置された、帯電装置、現像装置、転写装置、クリーニング装置等を主構成部材として備えている（これらの部材は不図示である）。
【００１６】
そして、例えば、複写機として動作させる場合、原稿読取部４で読み取った原稿の画像データに応じて、露光装置（不図示）から出射されるレーザ光（露光）によって、感光体ドラム表面に前記画像データに対応する静電潜像を形成する。そして、現像装置でトナーを付着させて可視像化して、転写装置により給紙カセット５から給紙された用紙上にトナー像を転写する。そして、定着装置（不図示）で用紙上のトナー像を加熱、加圧して定着させて、トナー像が定着された用紙が排紙トレイ（不図示）上に排紙される。
【００１７】
（入力操作装置１０の構成）
図１、図２に示したように、この入力操作装置１０には、操作部３のパネルカバー１２の表面に露出するようにして、所定の機能を選択したり所定の動作を実行させるための入力操作を行うハードキーとしての操作ボタン１１が複数設けられている。
【００１８】
操作ボタン１１は、例えば図３に示すように、縦４列、横３列に配列されており、数字、日本字、英字、記号、実行（Enter）などを選択して入力操作することができる。なお、数字、日本字、英字、記号の切替えは、切替スイッチ（不図示）の操作によって行うことができる。
【００１９】
図４は、右上側の２つの操作ボタン１１（数字の「３」と「６」などがそれぞれ表記された操作ボタン）を示したものであり、パネルカバー１２の各操作ボタン１１の外周部１２ａだけは光を透過する半透明状に形成されている。なお、他の操作ボタン１１においても同様である。
【００２０】
図５は、本実施形態に係る入力操作装置１０の概略構成を示す図、図６は、図５のＡ−Ａ線断面図である。なお、図５の入力操作装置１０は、図３、図４に示した右上側の２つの操作ボタン１１付近に対応しているが、他の操作ボタンにおいても同様である。また、図５では、操作ボタンと略同一面上に位置しているパネルカバー１２は省略している。
【００２１】
図５、図６に示すように、本実施形態に係る入力操作装置１０は、操作ボタン１１を内側に保持した枠部１３、ベース部１４、フィルム状の周知の静電容量式スイッチとしての第１スイッチ（第１検知手段）１５、周知のハードスイッチとしての第２スイッチ（第２検知手段）１６、ＬＥＤ（発光ダイオード）１７、及び制御手段としての制御部（ＣＰＵ）１８を備えている。なお、図６では、枠部１３、ベース部１４、ＬＥＤ１７等は省略している。
【００２２】
図７に示すように、枠部１３は、内側に弾性部１３ａを介して操作ボタン１１を保持しており、ベース部１４の上面に配置されている。
【００２３】
図８に示すように、ベース部１４の内側には弾性部１４ａを介して操作ボタン受部１４ｂが形成されており、この操作ボタン受部１４ｂ上に第１スイッチ（フィルム状の静電容量式スイッチ）１５が設置されている。操作ボタン受部１４ｂの第１スイッチ１５上に樹脂製の操作ボタン１１が設けられている（図６参照）。
【００２４】
第１スイッチ１５に接続されたフレキシブルプリント配線板１９は、基板２０上に実装された制御部１８に電気的に接続されている。なお、ベース部１４の四隅の下部、第２スイッチ１６、ＬＥＤ１７等も基板２０上に設置されている。
【００２５】
第１スイッチ１５は、ユーザ（操作者）の操作部位としての指が操作ボタン１１に触れた時に静電容量の増加を検知して、第１オン信号Ｓ１を出力するように構成されている。これにより、ユーザの指が操作ボタン１１に触れた時に、第１スイッチ１５から出力された第１オン信号Ｓ１がフレキシブルプリント配線板１９を介して制御部１８に入力される。なお、第１スイッチ１５から指を離すと、第１オン信号Ｓ１の出力はオフされる。
【００２６】
そして、本実施形態では、例えば右上の操作ボタン１１に指で触れて（図１０（ａ）参照）、一定時間その状態を保持している場合、例えば英字表示が選択されていると、制御部１８は、入力された第１オン信号Ｓ１に基づいて表示部７に最初に“Ｄ”を表示し、その後に“Ｅ”→“Ｆ”→“Ｄ”と順に一定時間間隔で表示されるように制御する。
【００２７】
操作ボタン受部１４ｂの下面には可動棒１４ｃが一体に形成されており、この可動棒１４ｃの下方には、所定の隙間を設けて第２スイッチ（ハードスイッチ）１６が基板２０上に設置されている。第２スイッチ１６は、信号線（不図示）を介して制御部１８に電気的に接続されている。
【００２８】
第２スイッチ１６は、可動棒１４ｃの上方からの押圧によって可動接点（可動棒１４ｃの下面）が下方に移動して第２スイッチ１６の固定接点（第２スイッチ１６の上面）に当接することで、第２オン信号Ｓ２を出力するように構成されている。これにより、ユーザの指が操作ボタン１１を押下げ操作した時に、枠部１３とベース部１４の各弾性部１３ａ，１４ａが下方に弾性変形して可動棒１４ｃが下方に変位することで、可動接点（可動棒１４ｃの下面）が第２スイッチ１６の固定接点（第２スイッチ１６の上面）に当接する。そして、第２スイッチ１６から出力された第２オン信号Ｓ２は、プリント配線（不図示）を介して制御部１８に入力される。
【００２９】
そして、本実施形態では、制御部１８は、入力された第１オン信号Ｓ１に基づいて表示部７に例えば上記した“Ｅ”→“Ｆ”→“Ｄ”と順に表示されている時に、第２スイッチ１６の押下げによって第２オン信号Ｓ２が入力されると、その時に表示されている文字が所望の文字（例えば“Ｆ”）として選択されて、確定（決定）するように制御する。なお、第２スイッチ１６の押下げを解除すると、第２オン信号Ｓ２の出力はオフされる。
【００３０】
ＬＥＤ１７は、各操作ボタン１１の下方で第２スイッチ１６の両側付近に設置されており、第１スイッチ１５から第１オン信号Ｓ１、第２スイッチ１６から第２オン信号Ｓ２がそれぞれ出力されている時に操作ボタン１１側に向けて発光し、パネルカバー１２の操作ボタン１１の外周部１２ａを透過照明する。なお、操作ボタン１１を非導電性の部材（ぺんなど）で押下げ操作して、第２スイッチ１６から第２オン信号Ｓ２のみが出力されているときも、ＬＥＤ１７が発光するようにしている。
【００３１】
（入力操作装置１０による入力操作）
次に、上記した入力操作装置１０による入力操作時の動作を、図９に示すフローチャートを参照して説明する。以下の説明では、上記した複合機１で、例えばスキャナ処理した際の画像データに対するファイル名（例えば“ＦＩＬＥ  ＡＢＣ”）を、各操作ボタン１１で入力操作して表示部７に表記させる際の動作である。
【００３２】
図９に示すフローチャートでは、図１０（ａ）、（ｂ）に示すように、例えば、ユーザが指２１で右上の操作ボタン１１を操作して、表示部７にファイル名（例えば“ＦＩＬＥ  ＡＢＣ”）の最初の“Ｆ”の文字を表示させる場合の動作である。なお、この“Ｆ”以降の文字を表示させる場合も同様して行われる。
【００３３】
先ず、ユーザ（操作者）は、ファイル名として例えば“ＦＩＬＥ  ＡＢＣ”を表示部７に表示させる際に、図１０（ａ）に示すように、最初に右上の操作ボタン１１を選択して入力操作する。
【００３４】
即ち、図１１（ａ）に示すように、ユーザが指２１で選択した操作ボタン１１を触れると（この時は操作ボタン１１を押下げていない）、第１スイッチ１５は、ユーザの指２１が操作ボタン１１に触れた時の静電容量の増加を検知して、第１オン信号Ｓ１を出力する（ステップＳ１：ＹＥＳ）。この第１オン信号Ｓ１は、フレキシブルプリント配線板１９を介して制御部１８に入力される。
【００３５】
この際、入力操作している操作ボタン１１に対応したＬＥＤ１７が発光して、その操作ボタン１１の操作パネル１２の周囲を透過照明することで、ユーザに対して操作している特定の操作ボタン１１を視認させることができる。なお、図５のようにスピーカ２２を有している場合には、入力操作している操作ボタン１１の名称などを電子音で発してユーザに音声で知らせることもできる。
【００３６】
そして、制御部１８は、操作ボタン１１に指が触れた状態が保持されて、第１スイッチ１５から第１オン信号Ｓ１が一定時間出力されていると判定する（ステップＳ２：ＹＥＳ）と、表示部７にこの操作ボタン１１に割り当てられている文字（例えば、“Ｅ”、“Ｆ”、“Ｄ”）を順に一定時間間隔で表示させる（ステップＳ３）。
【００３７】
なお、ステップＳ２で、第１オン信号Ｓ１が一定時間出力されていないと判定した場合（ステップＳ２：ＮＯ）は、例えば、この操作ボタン１１を指２１で触れている時間が短かった場合や、誤って他の操作ボタンに指が触れてすぐに離した場合等であり、ステップＳ１の前に戻る。
【００３８】
そして、表示部７に選択する所望の文字（この時は“Ｆ”）が表示されている時に、図１１（ｂ）に示すように、ユーザがこの操作ボタン１１を指２１で押下げることで、可動棒１４ｃが第２スイッチ１６側に移動して、可動接点（可動棒１４ｃの下面）が第２スイッチ１６の固定接点（第２スイッチ１６の上面）に当接し、第２スイッチ１６から第２オン信号Ｓ２が出力される（ステップＳ４）。この第２オン信号Ｓ２は、プリント配線（不図示）を介して制御部１８に入力される。操作ボタン１１が指２１で押下げられると、フレキシブルプリント配線板１９は少し撓む。
【００３９】
この際、入力操作している操作ボタン１１に対応したＬＥＤ１７をステップＳ１のときとは異なる色で発光させて、その操作ボタン１１の操作パネル１２の周囲を透過照明することで、ユーザに対して操作ボタン１１が押下げ状態であることを視認させることができる。なお、図５のようにスピーカ２２を有している場合には、操作ボタン１１の押下げ状態に応じた電子音で発してユーザに音声で知らせることもできる。
【００４０】
そして、制御部１８は、第２スイッチ１６から第２オン信号Ｓ２が入力されると、このときに表示部７に表示されている選択された文字（この時は“Ｆ”）を、操作ボタン１１による入力操作によって入力された入力操作情報として確定（決定）し、図１０（ｂ）に示したように、表示部７に表示して保持する（ステップＳ５）。
【００４１】
また、ステップＳ１で、ユーザの指２１が操作ボタン１１に触れてなく、第１スイッチ１５から第１オン信号Ｓ１が出力されていない場合（ステップＳ１：ＮＯ）、通常は第２スイッチ１６からも第２オン信号Ｓ２が出力されない（ステップＳ６：ＮＯ）が、例えば、ユーザがペンなどの非導電性部材でこの操作ボタン１１を押下げていると、第２スイッチ１６から第２オン信号Ｓ２が出力される（ステップＳ６：ＹＥＳ）。
【００４２】
そして、制御部１８は、第１スイッチ１５から第１オン信号Ｓ１が出力されてなく、第２スイッチ１６から第２オン信号Ｓ２が一定時間出力されていると判定する（ステップＳ７：ＹＥＳ）と、ステップＳ１で第１スイッチ１５から第１オン信号Ｓ１が入力されていないので誤入力操作であると判定し、表示部７に例えば“誤入力操作です”と表示して報知したり、スピーカ２２から警告音を発して報知する（ステップＳ８）。
【００４３】
なお、ステップＳ６で、第２スイッチ１６からも第２オン信号Ｓ２が出力されない（ステップＳ６：ＮＯ）場合、及びステップＳ７で、第２スイッチ１６から第２オン信号Ｓ２が一定時間出力されていないと判定した場合（例えば、誤って押下げた操作ボタン１１を短時間で解除した場合）には、ステップＳ１の前に戻る。
【００４４】
このように、本実施形態に係る入力操作装置１０によれば、ユーザが選択した操作ボタン１１に指で触れることで、第１スイッチ１５から出力される第１オン信号Ｓ１に基づいてこの操作ボタン１１に割り当てられている入力文字（入力操作情報）が表示部７に順に表示される。そして、同じ操作ボタン１１を押下げることで、第２スイッチ１６から出力される第２オン信号Ｓ２に基づいて選択した特定の入力文字を確定することができる。
【００４５】
よって、操作ボタン１１を入力操作して選択した特定の入力文字を確定するときに、指を移動させる必要が殆どないので、入力操作の操作性の向上を図ることができ、更に、確定時に別の操作ボタンを誤って入力操作するような誤入力操作を防止することができる。
【００４６】
これに対して、例えば図１２に示すような従来例では、ユーザが選択した操作ボタン１１ａの複数回の押圧操作でこの操作ボタン１１ａに割り当てられている入力文字を表示部７に順に表示させ、確定する時は指２１を移動させて別の確定用の操作ボタン（エンターキー）１１ｂを押圧する。このように、選択した特定の入力文字を確定するときに、指（腕）を大きく移動させる必要があるので、入力操作の操作性が悪い。
【００４７】
なお、前記実施形態では、操作ボタン１１に指が触れた状態が保持されて、第１スイッチ１５から第１オン信号Ｓ１が一定時間出力されていると判定した時に、表示部７にこの操作ボタン１１に割り当てられている文字を順に表示させる構成であった。
【００４８】
この構成以外にも、操作ボタン１１に指を触れると、第１スイッチ１５から第１オン信号Ｓ１を出力して、表示部７にこの操作ボタン１１に割り当てられている最初の文字を表示させ、その後、指を操作ボタン１１から一旦離して再度触れる動作を繰り返すことで、表示部７にこの操作ボタン１１に割り当てられている文字を順に表示させるような構成でもよい。
【００４９】
<実施形態２>
図１３は、本発明の実施形態２に係る入力操作装置の外観を示した図であり、例えば図１に示した複合機１の操作部３に設けられている。
【００５０】
図１３に示すように、本実施形態に係る入力操作装置は、円盤状の第１操作ボタン（ハードキー）３０と、この第１操作ボタン３０上に４つの矢印キーとしての第２操作ボタン３１ａ，３１ｂ，３１ｃ，３１ｄを有している。本実施形態では、第１操作ボタン３０の背面側には、図５、図６などに示した実施形態１の可動棒１４ｃと周知のハードスイッチとしての第２スイッチ１６が設けられている。
【００５１】
そして、ユーザがこの第１操作ボタン３０を指２１で押下げることで、実施形態１の図１１（ｂ）と同様に、可動棒１４ｃが第２スイッチ１６側に移動して、可動接点（可動棒１４ｃの下面）が第２スイッチ１６の固定接点（第２スイッチ１６の上面）に当接し、第２スイッチ１６から第２オン信号Ｓ２が出力される。
【００５２】
また、各第２操作ボタン３１ａ〜３１ｄの背面側には、図５、図８などに示した実施形態１のフィルム状の周知の静電容量式スイッチとしての第１スイッチ１５が設けられている。
【００５３】
そして、本実施形態では、図１３に示すように、例えば、下向き矢印キーである第２操作ボタン３１ａに指２１が触れた状態が一定時間保持されると、表示部７に表示された矢印マーク３２が下方側に一定時間間隔で移動する。なお、指を第２操作ボタン３１ａから一旦離して再度触れる動作を繰り返すことで、表示部７に表示された矢印マーク３２を下方側に移動させることもできる。
【００５４】
そして、表示部７に表示されている複数のファイル名のうちの選択した所望のファイル名（図１３では、“業務資料”）の位置に矢印マーク３２が移動したときに、第１操作ボタン３０を指２１で押下げることで、実施形態１と同様に確定（決定）される。
【００５５】
なお、実施形態２では、第２操作ボタン３１ａのみを使用しているが、表示部７に表示される選択情報の表示位置等に応じて、表示部７に表示された矢印マーク３２を、各第２操作ボタン３１ａ〜３１ｄのうちから選択した操作ボタンによる入力操作によって移動させることができる。
【００５６】
このように、本実施形態においても、各第２操作ボタン３１ａ〜３１ｄのいずれかを用いて表示部７に表示された複数の入力操作情報のうちから選択した入力操作情報（所望のファイル）を第１操作ボタン３０で確定（決定）するときに、指を殆ど移動させる必要がないので、入力操作の操作性の向上を図ることができ、更に、確定時に別の操作ボタンを誤って入力操作するような誤入力操作を防止することができる。
【００５７】
これに対して、例えば図１４に示すような従来例では、ユーザが矢印キーである各第２操作ボタン３１ａ〜３１ｄのいずれかを用いた入力操作で、表示部７に表示される複数の入力操作情報のうちから選択した入力操作情報（（図１４では、“業務資料”）を選択し、確定（決定）する時は指２１を移動させて別の決定ボタン（決定キー）３３を押圧する。このように、選択した特定の入力操作情報を確定（決定）するときに、指（腕）を大きく移動させる必要があるので、入力操作の操作性が悪い。
【００５８】
なお、上記した各実施形態では、本発明の入力操作装置を複合機の操作部に適用した例であったが、これ以外にも、本発明の入力操作装置を、例えば、携帯電話機、デジタルカメラなどの操作部にも同様に適用することができる。
【符号の説明】
【００５９】
１        複合機
７        表示部
１０      入力操作装置
１１      操作ボタン
１５      第１スイッチ
１６      第２スイッチ
１８      制御部
３０      第１操作ボタン
３１ａ〜３１ｄ      第２操作ボタン
【先行技術文献】
【特許文献】
【００６０】
【特許文献１】特開２００７−２５９２０４号公報
【図１】
2014232911.tif 000003
【図２】
2014232911.tif 000004
【図３】
2014232911.tif 000005
【図４】
2014232911.tif 000006
【図５】
2014232911.tif 000007
【図６】
2014232911.tif 000008
【図７】
2014232911.tif 000009
【図８】
2014232911.tif 000010
【図９】
2014232911.tif 000011
【図１０】
2014232911.tif 000012
【図１１】
2014232911.tif 000013
【図１２】
2014232911.tif 000014
【図１３】
2014232911.tif 000015
【図１４】
2014232911.tif 000016